(57)【要約】【課題】配線を誘導する機能等を、簡単な構成で実現した設備機器を提供する。【解決手段】設備機器である浴室換気乾燥暖房装置１Ａは、電気部品２０が実装されると共に配線２１が接続される基板２が収納される収納部３０を有した箱体３と、箱体３の周壁部３３の内側に、周壁部３３と収納部３０との間を仕切る内壁部３４を設け、箱体３の周壁部３３と内壁部３４との間に、所定の機能を実現する空間を設けて構成される機能部として、配線２１が収納される配線収納部３１を備える。【選択図】    図１
2014036154.tif 000002
【特許請求の範囲】
【請求項１】
部品が実装されると共に配線が接続される基板が収納される収納部を有した箱体と、
前記箱体の周壁部の内側に、前記周壁部と前記収納部との間を仕切る内壁部を設け、前記箱体の前記周壁部と前記内壁部との間に、少なくとも１つの機能を実現する空間を設けて構成される少なくとも１つの機能部と
を備えたことを特徴とする設備機器。
【請求項２】
前記機能部は、前記箱体の前記周壁部と前記内壁部との間に設けた前記空間に、前記基板に接続される配線が収納される配線収納部である
ことを特徴とする請求項１に記載の設備機器。
【請求項３】
前記配線収納部は、前記箱体の前記周壁部が前記配線の延在方向に沿って連続する
ことを特徴とする請求項２に記載の設備機器。
【請求項４】
前記配線収納部は、前記箱体の前記内壁部に前記配線が取り出される少なくとも１つの開口を設けて配線取出部を備えた
ことを特徴とする請求項２または請求項３に記載の設備機器。
【請求項５】
前記配線収納部は、前記箱体の前記周壁部または前記内壁部の少なくとも一方に、前記配線が外れることを防止する抜け防止部を備えた
ことを特徴とする請求項２〜請求項４の何れか１項に記載の設備機器。
【請求項６】
前記箱体が取り付けられる装置本体と、
前記箱体に近接した取付位置で前記装置本体に取り付けられる装置部品とを備え、
前記機能部は、前記箱体の前記周壁部と前記内壁部との間に設けた前記空間に、前記装置部品を前記装置本体に取り付ける片部が入る退避部である
ことを特徴とする請求項１に記載の設備機器。
【請求項７】
前記箱体の前記周壁部は、前記退避部に入る水を外部に流す排水部を備えた
ことを特徴とする請求項６に記載の設備機器。
【請求項８】
前記箱体の前記周壁部は、前記基板に実装された部品の最大高さより上方まで延在する
ことを特徴とする請求項１〜請求項７の何れか１項に記載の設備機器。
【発明の詳細な説明】
【技術分野】
【０００１】
本発明は、電気部品等と基板が配線で接続される設備機器に関する。
【背景技術】
【０００２】
従来から、住宅等の建物に、空調装置や換気扇等の設備機器が配置される。例えば、浴室の天井には、浴室の暖房や換気等を行う浴室換気乾燥暖房装置が設置されている。
【０００３】
浴室換気乾燥暖房装置ではヒータを搭載しており、ヒータを駆動する電気部品等が実装された基板を備え、基板とヒータが配線で接続されて、ヒータへの通電制御が行われている（例えば、特許文献１参照）。浴室換気乾燥暖房装置では、基板に実装された電気部品でヒータへの通電制御を行っているため、ヒータに接続される配線には高電流が流れている。
【０００４】
このように、配線に高電流が流れる浴室換気乾燥暖房装置等の設備機器では、装置の組立作業、及び、装置のメンテナンス作業での配線の取り回し作業時において、配線の損傷防止、及び基板上の素子の損傷防止のため、基板上に極力配線を通さない工夫や、組立作業時に部品で配線を挟み込んで損傷しないようにする工夫がなされている。
【０００５】
このため、従来、配線をテープで固定して所望の経路で配線を取り回す技術が提案されている（例えば、特許文献２参照）。また、基板上の複数箇所に、配線を保持するクランプ部材を取り付けて、配線を取り回す技術も提案されている。
【先行技術文献】
【特許文献】
【０００６】
【特許文献１】特開２００４−１１６８１３号公報
【特許文献２】特開２００４−０６０９０２号公報
【発明の概要】
【発明が解決しようとする課題】
【０００７】
従来から知られている配線のクランプ部材は、帯状の部材が環状とされて配線が通されると共に、ネジで基板上等の所定の箇所に固定される構成である。このため、配線の経路に合わせて多数のクランプ部材が必要で、装置のコストアップにつながっていた。
【０００８】
本発明は、このような課題を解決するためになされたもので、配線を誘導する機能等を、簡単な構成で実現した設備機器を提供することを目的とする。
【課題を解決するための手段】
【０００９】
上述した課題を解決するため、本発明は、部品が実装されると共に配線が接続される基板が収納される収納部を有した箱体と、箱体の周壁部の内側に、周壁部と収納部との間を仕切る内壁部を設け、箱体の周壁部と内壁部との間に、少なくとも１つの機能を実現する空間を設けて構成される少なくとも１つの機能部とを備えた設備機器である。
【００１０】
本発明では、基板が収納される箱体を利用して、箱体の周壁部の内側に形成される空間で機能部を実現する。機能部は、内壁部で基板の収納部と仕切られており、基板への影響が抑えられる。
【発明の効果】
【００１１】
本発明の設備機器によれば、基板が収納される箱体を利用して、設備機器に関連した機能部が実現でき、機能部を箱体と一体に設けることができるので、各種機能部を簡単な構成で実現できる。これにより、配線を誘導する機能等を、簡単な構成で、かつ低コストで実現できる。
【図面の簡単な説明】
【００１２】
【図１】本実施の形態の浴室換気乾燥暖房装置の一例を示す斜視図である。
【図２】本実施の形態の浴室換気乾燥暖房装置の一例を示す内部構成図である。
【図３】本実施の形態の浴室換気乾燥暖房装置の一例を示す全体構成図である。
【図４】本実施の形態の浴室換気乾燥暖房装置を構成する箱体の一例を示す斜視図である。
【図５】本実施の形態の箱体の一例を示す平面図である。
【図６】本実施の形態の箱体の一例を示す側面図である。
【図７】本実施の形態の箱体の一例を示す正面図である。
【図８】本実施の形態の箱体の一例を示す要部拡大断面図である。
【図９】本実施の形態の箱体の変形例を示す要部拡大断面図である。
【発明を実施するための形態】
【００１３】
以下、図面を参照して、本発明の設備機器としての浴室換気乾燥暖房装置の実施の形態について説明する。
【００１４】
＜本実施の形態の浴室換気乾燥暖房装置の構成例＞
図１は、本実施の形態の浴室換気乾燥暖房装置の一例を示す斜視図、図２は、本実施の形態の浴室換気乾燥暖房装置の一例を示す内部構成図、図３は、本実施の形態の浴室換気乾燥暖房装置の一例を示す全体構成図である。
【００１５】
また、図４は、本実施の形態の浴室換気乾燥暖房装置を構成する箱体の一例を示す斜視図、図５は、本実施の形態の箱体の一例を示す平面図、図６は、本実施の形態の箱体の一例を示す側面図、図７は、本実施の形態の箱体の一例を示す正面図である。更に、図８は、本実施の形態の箱体の一例を示す要部拡大断面図である。
【００１６】
本実施の形態の浴室換気乾燥暖房装置１Ａは、装置本体１０と、浴室換気乾燥暖房装置１Ａを制御する基板２が収納される箱体３を備える。浴室換気乾燥暖房装置１Ａは、装置本体１０を覆う金属ケース１１の外側に基板取付部１１ａを備え、基板２が収納された箱体３が、金属ケース１１の外側で基板取付部１１ａに取り付けられる。
【００１７】
基板２は、各種電気部品２０が実装され、実装された電気部品２０が図示しない所定の配線パターン等で接続されて、浴室換気乾燥暖房装置１Ａの制御手段が構成される。
【００１８】
次に、基板２が収納される箱体３について、各図を参照して説明する。箱体３は、基板２が収納される収納部３０と、基板２に接続される配線２１が収納される配線収納部３１と、装置本体１０に取り付けられる装置部品として、図２等に示す副吸込ダクトジョイント４を装置本体１０に取り付けるための片部４０が入る退避部３２を備える。
【００１９】
箱体３は、上面及び側面の一部が開口し、底面及び側面の残部が閉塞した所定の直方体形状で、本例では、樹脂材料で一体に構成される。箱体３は、底面から立設された形態の周壁部３３で、側面の閉塞された部位が構成される。また、箱体３は、側面の４面を囲う周壁部３３の中で、３面の周壁部３３のそれぞれ内側に、周壁部３３と収納部３０との間を仕切る内壁部３４が設けられる。
【００２０】
箱体３は、基板２に実装された電気部品２０の最大高さより、周壁部３３の高さが高く構成される。また、箱体３は、内壁部３４が周壁部３３と同じ高さに構成され、周壁部３３及び内壁部３４の上端が、電気部品２０の最大高さより上側に位置する。
【００２１】
収納部３０は、周壁部３３と内壁部３４で囲われた空間で収納部３０が構成される。機能部の一例である配線収納部３１は、本例では箱体３の対向する２面の側面を構成する周壁部３３と内壁部３４との間に設けられた空間で構成される。機能部の他の例である退避部３２は、他の側面を構成する周壁部３３と内壁部３４との間に設けられた空間で構成される。
【００２２】
配線収納部３１は、対向する周壁部３３より短い長さの内壁部３４が、周壁部３３に沿って延在し、上面が開口した直線状に繋がる空間が、内壁部３４で仕切られて収納部３０の側部に形成される。
【００２３】
配線収納部３１は、図８に示すように、対向する周壁部３３と内壁部３４との間隔ｔ１と、周壁部３３及び内壁部３４の高さｔ２で、収納可能な配線２１の本数が規定され、収納対象の配線２１が所定本数、本例では、少なくとも２本の配線が並列して収納可能となるように、対向する周壁部３３と内壁部３４との間隔ｔ１が設定される。
【００２４】
また、配線収納部３１は、周壁部３３及び内壁部３４の高さｔ２が、基板２に実装された電気部品２０の最大高さｔ３より高く構成され、高さ方向に積層して収納可能な配線２１の本数が、実際に収納される配線２１の本数より多く設定される。これにより、浴室換気乾燥暖房装置１Ａの機種が異なり、接続される配線２１の本数が異なるような場合でも、同一の箱体３で対応可能となる。
【００２５】
配線収納部３１は、収納部３０側に配線が取り出される配線取出部３５を備える。配線収納部３１は、内壁部３４の上端まで開口した溝部を、配線収納部３１の延在方向に沿って内壁部３４の少なくとも１箇所に設けて、配線取出部３５が構成される。
【００２６】
配線収納部３１は、上面が開口しており、開口している上面から配線２１が収納される動作が行われる。これにより、配線収納部３１に配線２１を収納する動作で、任意の箇所の配線取出部３５に配線２１を入れて、収納部３０側に配線２１を取り出すことが可能である。
【００２７】
配線収納部３１は、収納された配線２１が外れることを防止する抜け防止部３６を備える。配線収納部３１は、周壁部３３と内壁部３４の少なくとも一方、本例では、内壁部３４の上端に、対向する周壁部３３側に突出する凸部を設けて抜け防止部３６が構成される。
【００２８】
配線収納部３１は、抜け防止部３６と対向する周壁部３３の間隔ｔ４が、１本の配線２１の径ｔ５と同等程度、あるいは若干小さく構成される。これにより、配線収納部３１は、樹脂材料で構成される周壁部３３あるいは内壁部３４を弾性変形させることで、抜け防止部３６を乗り越えて配線２１が収納される。そして、配線収納部３１は、収納された配線２１を上方向に移動させても、抜け防止部３６で配線２１が抜けることが防止される。
【００２９】
配線収納部３１は、配線２１が収納される部位の周壁部３３が、配線２１の延在方向に沿って連続する。配線収納部３１は、箱体３の成形による制約等で、周壁部３３に溝部や開口が設けられる場合、配線２１が収納され得る高さには、溝部あるいは開口が設けられないように構成される。これにより、配線収納部３１に収納された配線２１が、箱体３の周壁部３３から外側に露出することを防ぐ。
【００３０】
退避部３２は、内壁部３４で四角状に囲われて収納部３０と仕切られると共に、上面が開口した少なくとも１つの空間、本例では３つの空間が、収納部３０の側部に形成される。
【００３１】
退避部３２は、退避部３２に入る水を箱体３の外部に流す排水部３７を備える。退避部３２は、周壁部３３の上端まで開口した溝部を各周壁部３３に設けて、排水部３７が構成される。
【００３２】
浴室換気乾燥暖房装置１Ａは、装置本体１０の一の側面側の上面で、金属ケース１１の外側に、箱体３が取り付けられる基板取付部１１ａが形成される。浴室換気乾燥暖房装置１Ａは、基板取付部１１ａに取り付けられた箱体３を覆う金属カバー１１ｂを備える。
【００３３】
浴室換気乾燥暖房装置１Ａは、基板取付部１１ａに取り付けられた箱体３の上面及び側面を覆う形状で金属カバー１１ｂが構成され、箱体３の樹脂部分の露出が抑えられる。これにより、基板２が収納される箱体３は、外部からの熱の伝達が金属カバー１１ｂにより抑えられる。また、基板２が収納される箱体３は、装置本体１０の内部からの熱の伝達が金属ケース１１により抑えられる。更に、基板２で発生した熱が外部に伝達されることが、金属カバー１１ｂにより抑えられ、基板２で発生した熱が装置本体１０の内部に伝達されることが、金属ケース１１により抑えられる。浴室換気乾燥暖房装置１Ａは、基板取付部１１ａの近傍の金属ケース１１に、配線導入穴１１ｃが設けられ、基板２に接続される配線２１が、配線導入穴１１ｃから金属ケース１１内に導入される。
【００３４】
次に、浴室換気乾燥暖房装置１Ａの全体の構成について、各図を参照して説明する。本実施の形態の浴室換気乾燥暖房装置１Ａは、図３に示すように、装置本体１０が浴室１００の天井１００ａに設置される。
【００３５】
浴室換気乾燥暖房装置１Ａは、装置本体１０の天井裏に露出する部位が、金属ケース１１で覆われる。また、浴室換気乾燥暖房装置１Ａは、空気が吸い込まれる吸込口グリル１２ａ及び空気が吹き出される吹出口グリル１２ｂを備えたフロントパネル１２が装置本体１０の下面に取り付けられ、フロントパネル１２が浴室１００の天井１００ａに露出する。
【００３６】
浴室１００の天井１００ａに設置された浴室換気乾燥暖房装置１Ａは、１つあるいは複数の副吸込ダクト、本例では、２本の副吸込ダクト１３が副吸込ダクトジョイント４に接続される。
【００３７】
一方の副吸込ダクト１３は、他室である洗面脱衣所１０２の天井に１０２ａに設置された副吸込口グリル１３ａと接続され、他方の副吸込ダクト１３は、別の他室であるトイレ１０３の天井に１０３ａに設置された副吸込口グリル１３ａと接続される。なお、本例では、他室として洗面脱衣所１０２とトイレ１０３の両方から空気が吸い込まれる構成としたが、どちらか一方から空気が吸い込まれる構成としても良い。
【００３８】
また、浴室換気乾燥暖房装置１Ａは、排気ダクト１４が排気ダクトジョイント５に接続される。排気ダクト１４は、図示しない建物の外壁１０１に設置された屋外グリル１４ａと接続される。
【００３９】
浴室換気乾燥暖房装置１Ａは、浴室１００の空気を、装置本体１０の吸込口グリル１２ａから吸い込んで、排気ダクト１４を介して屋外に排気すると共に、他室である洗面脱衣所１０２及びトイレ１０３の空気を、副吸込口グリル１３ａから副吸込ダクト１３を介して吸い込んで、排気ダクト１４を介して屋外に排気する換気ファン６を備える。
【００４０】
また、浴室換気乾燥暖房装置１Ａは、浴室１００の空気を、装置本体１０の吸込口グリル１２ａから吸い込んで、装置本体１０の吹出口グリル１２ｂから浴室１００に吹き出す循環ファン７と、循環ファン７で吹出口グリル１２ｂから浴室１００に吹き出される空気の温度を制御するヒータ８を備える。
【００４１】
換気ファン６は、送風手段である換気送風手段の一例で、軸方向から空気を吸い込み、遠心方向に吹き出す遠心ファンで構成される。換気ファン６は、図２に示すように、多翼の羽根車６０と、羽根車６０を回転させる換気ファンモータ６１と、風路を形成する換気ファンケース６２を備える。
【００４２】
換気ファン６は、羽根車６０の軸方向から空気が吸い込まれ、羽根車６０の遠心方向に沿った側方に向けて空気が吹き出される換気ファン吹出風路６２ａが、換気ファンケース６２により形成される。
【００４３】
循環ファン７は、送風手段である循環送風手段の一例で、換気ファン６と同様に遠心ファンで構成される。循環ファン７は、図２に示すように、多翼の羽根車７０と、羽根車７０を回転させる循環ファンモータ７１と、風路を形成する循環ファンケース７２を備える。
【００４４】
循環ファン７は、羽根車７０の軸方向から空気が吸い込まれ、羽根車７０の遠心方向に沿った側方に向けて空気が吹き出される循環ファン吹出風路７２ａが、循環ファンケース７２により形成される。
【００４５】
浴室換気乾燥暖房装置１Ａは、循環ファン７の上側に換気ファン６が配置される構成で、換気ファン６において、羽根車６０の軸方向に沿った換気ファンケース６２の上面に、空気が吸い込まれる換気ファン吸込口６２ｂが形成される。
【００４６】
また、浴室換気乾燥暖房装置１Ａは、換気ファンケース６２及び循環ファンケース７２の側方に浴室吸込風路６３が形成され、装置本体１０の下面に、浴室吸込風路６３を介して換気ファン吸込口６２ｂと連通した換気吸込口６２ｃが形成される。
【００４７】
更に、浴室換気乾燥暖房装置１Ａは、換気ファンケース６２及び循環ファンケース７２の上方に他室吸込風路６４が形成され、装置本体１０の一の側面に、他室吸込風路６４を介して換気ファン吸込口６２ｂと連通した単一または複数の副吸込口、本例では、２つの副吸込口６２ｄが形成される。
【００４８】
また、浴室換気乾燥暖房装置１Ａは、装置本体１０の他の側面に、換気ファン６の換気ファン吹出風路６２ａと連通した排気吹出口６２ｅが形成される。
【００４９】
浴室換気乾燥暖房装置１Ａは、装置本体１０の下面の一部が循環ファンケース７２の下面で構成され、循環ファン７において、羽根車７０の軸方向に沿った循環ファンケース７２の下面である装置本体１０の下面に、空気が吸い込まれる循環ファン吸込口７２ｂが形成される。
【００５０】
また、浴室換気乾燥暖房装置１Ａは、循環ファン７において、循環ファンケース７２の下面である装置本体１０の下面に、循環ファン吹出風路７２ａと連通して空気が吹き出される循環ファン吹出口７２ｃが形成され、循環ファン吹出口７２ｃの内側にヒータ８が設けられる。
【００５１】
ヒータ８は加熱手段の一例で、本例ではＰＴＣヒータで構成される。浴室換気乾燥暖房装置１Ａは、ヒータ８が通電されることで発熱し、循環ファン吹出口７２ｃから吹き出される空気を加熱する。
【００５２】
浴室換気乾燥暖房装置１Ａは、装置本体１０の側面及び上面を覆う形状の金属ケース１１で、樹脂材料で構成された換気ファンケース６２及び循環ファンケース７２が覆われる。浴室換気乾燥暖房装置１Ａは、金属ケース１１と、換気ファンケース６２及び循環ファンケース７２の側面との間、金属ケース１１と、換気ファンケース６２の上面との間に形成される連通した空間で、浴室吸込風路６３が形成される。
【００５３】
また、浴室換気乾燥暖房装置１Ａは、金属ケース１１と、換気ファンケース６２及び循環ファンケース７２の上面との間に形成される連通した空間で、他室吸込風路６４が形成される。
【００５４】
浴室換気乾燥暖房装置１Ａは、換気吸込口６２ｃと循環ファン吸込口７２ｂが、フロントパネル１２の吸込口グリル１２ａと繋がり、循環ファン吹出口７２ｃが、フロントパネル１２の吹出口グリル１２ｂと繋がる。
【００５５】
また、浴室換気乾燥暖房装置１Ａは、本例では２つの副吸込口６２ｄにそれぞれ副吸込ダクトジョイント４が取り付けられ、各副吸込ダクトジョイント４に副吸込ダクト１３が接続される。更に、浴室換気乾燥暖房装置１Ａは、排気吹出口６２ｅに排気ダクトジョイント５が取り付けられ、排気ダクトジョイント５に排気ダクト１４が接続される。
【００５６】
これにより、浴室換気乾燥暖房装置１Ａは、浴室１００と、洗面脱衣所１０２及びトイレ１０３が、装置本体１０内の浴室吸込風路６３及び他室吸込風路６４と、副吸込ダクト１３を介して繋がる風路構成となっている。
【００５７】
浴室換気乾燥暖房装置１Ａは、装置本体１０の一の側面に形成された副吸込口６２ｄに副吸込ダクトジョイント４が取り付けられ、装置本体１０の他の側面に形成された排気吹出口６２ｅに排気ダクトジョイント５が取り付けられる。
【００５８】
装置本体１０は、一の側面の一部が、箱体３を覆う金属カバー１１ｂで構成され、本例では、副吸込ダクトジョイント４の取付位置が、装置本体１０の基板取付部１１ａに取り付けられた箱体３に近接する。
【００５９】
金属カバー１１ｂには、箱体３の退避部３２の位置に合わせて上面に係止穴部１１ｄが形成され、副吸込ダクトジョイント４は、装置本体１０に取り付けるための片部４０が、金属カバー１１ｂの係止穴部１１ｄに係止される。副吸込ダクトジョイント４は、金属カバー１１ｂの係止穴部１１ｄに係止された片部４０が、箱体３の内部で内壁部３４により収納部３０と仕切られた退避部３２に入る。
【００６０】
ここで、排気ダクトジョイント５の取付位置が、装置本体１０の基板取付部１１ａに取り付けられた箱体３に近接する構成でも良い。また、設備機器としての浴室換気乾燥暖房装置１Ａは、送風手段として循環ファンと換気ファンを独立して備えた構成としたが、風路を切り替えるダンパ等を備えることで、１つのファンで換気送風手段と循環送風手段を実現する構成でも良い。また、換気のみを行う構成でも良い。
【００６１】
＜本実施の形態の浴室換気乾燥暖房装置の作用効果例＞
本実施の形態の浴室換気乾燥暖房装置１Ａでは、基板２が収納される箱体３の周壁部３３と内壁部３４との間の空間で構成される機能部として、基板２に接続される配線２１が収納される配線収納部３１が設けられる。
【００６２】
配線収納部３１は、箱体３の収納部３０に収納された基板２の外周に沿って延在する空間を、箱体３の外壁を構成する周壁部３３と、周壁部３３の内側に形成された内壁部３４との間に設けて一体に構成される。また、配線収納部３１は、周壁部３３及び内壁部３４の高さ方向に積層して、複数本の配線２１が収納される。
【００６３】
これにより、箱体３内で大きな空間を占有することなく、配線収納部３１を備える構成とすることができる。また、箱体３の外側に配線収納部３１が突出せず、箱体３を大型化させることなく、配線収納部３１を備える構成とすることができる。更に、箱体３と配線収納部３１が一体で構成されるので、配線を固定する部材を別部品で実現する構成と比較して、コストを下げることができる。
【００６４】
また、配線収納部３１は、上面が開口しており、開口している上面から配線２１の出し入れが可能で、樹脂材料で構成される周壁部３３あるいは内壁部３４を弾性変形させることで、抜け防止部３６を乗り越えて配線２１を収納することができる。
【００６５】
更に、配線収納部３１に配線２１を収納する動作で、接続箇所に応じた任意の箇所の配線取出部３５に配線２１を入れて、収納部３０側に配線２１を取り出すことができる。また、配線収納部３１は、周壁部３３及び内壁部３４に沿った上下方向に移動可能である配線２１が、抜け防止部３６により外れることが防止される。
【００６６】
従来は、多数のクランプ部材を、配線を通しながら基板等に取り付けるため、配線の取り回し作業に多くの工数を費やしていた。また、配線の取り回し作業で配線をクランプ部材に噛み込む可能性があり、配線をクランプ部材に噛み込まないように時間を掛けて作業を行わなければならず、作業効率に影響を及ぼす場合があった。
【００６７】
これに対して、本実施の形態の箱体３では、配線２１の固定に結束部材等による結束作業が不要となり、配線２１の組み付け作業性を向上させることができる。
【００６８】
また、配線収納部３１は、樹脂材料で構成される周壁部３３あるいは内壁部３４を弾性変形させることで、抜け防止部３６を乗り越えて配線２１を外すことが可能である。
【００６９】
これにより、メンテナンス等で配線２１を外す場合に、結束部材を切断する等の作業が不要となり、作業性を向上させることができると共に、配線２１を損傷する等の障害の発生を抑えることができる。
【００７０】
更に、配線収納部３１は、配線２１が収納される部位の周壁部３３が、配線２１の延在方向に沿って連続する。これにより、配線収納部３１に収納された配線２１が、箱体３の周壁部３３から外側に露出することを防ぎ、金属カバー１１ｂを取り付ける動作で、配線２１が損傷することを防ぐことができる。
【００７１】
また、配線収納部３１は、基板２が収納される収納部３０と内壁部３４で仕切られているので、配線２１を基板２上に通さない配線経路を実現でき、配線２１の損傷防止、及び基板２上の電気部品２０の損傷防止につなげることができる。これにより、配線２１の本数が少ない場合、配線２１の径が細い場合等であっても、配線収納部３１に収納された配線２１は基板２方向へは移動できず、径の異なる配線２１であっても収納可能である。
【００７２】
更に、配線収納部３１は、周壁部３３及び内壁部３４の高さ方向に積層して、配線２１が収納されるので、図８に実線で示す本数の配線２１が使用される浴室換気乾燥暖房装置１Ａと、実線及び破線で示す本数の配線２１が使用される浴室換気乾燥暖房装置１Ａで、箱体３を共用でき、１種類の箱体３で、多機種に対応可能となり、コストを下げることができる。
【００７３】
本実施の形態の浴室換気乾燥暖房装置１Ａでは、副吸込ダクトジョイント４の取付位置が、装置本体１０の基板取付部１１ａに取り付けられた箱体３に近接して設けられる。そこで、基板２が収納される箱体３の周壁部３３と内壁部３４との間の空間で構成される機能部として、副吸込ダクトジョイント４を装置本体１０に取り付けるための片部４０を退避する退避部３２が設けられる。
【００７４】
浴室換気乾燥暖房装置１Ａは、装置本体１０に副吸込ダクトジョイント４が取り付けられると、片部４０が箱体３の内部で退避部３２に入る。箱体３は、内壁部３４により退避部３２が収納部３０と仕切られており、水分が副吸込ダクトジョイント４の片部４０と伝わって退避部３２に浸入しても、基板２が収納された収納部３０内には水分が入らない。そして、退避部３２に浸入した水分は、排水部３７より箱体３の外部へ排出される。
【００７５】
これにより、基板２に水分が付着することが防止され、短絡の発生等を防ぐことができる。
【００７６】
＜本実施の形態の箱体の変形例＞
図９は、本実施の形態の箱体の変形例を示す要部拡大断面図である。変形例の箱体３では、周壁部３３と内壁部３４で、抜け防止部３６ｂを交互に配置し、対抗する抜け防止部３６ｂが互いに入り込む構成としたものである。
【産業上の利用可能性】
【００７７】
本発明は、配線で接続される各種電気部品を有した設備機器に適用される。
【符号の説明】
【００７８】
１Ａ・・・設備機器、１０・・・装置本体、１１・・・金属ケース、１１ａ・・・基板取付部、１１ｂ・・・金属カバー、２・・・基板、２０・・・電気部品、３・・・箱体、３０・・・収納部、３１・・・配線収納部、３２・・・退避部、３３・・・周壁部、３４・・・内壁部、３５・・・配線取出部、３６・・・抜け防止部、３７・・・排水部、４・・・副吸込ダクトジョイント、４０・・・片部、５・・・排気ダクトジョイント、６・・・換気ファン、７・・・循環ファン、８・・・ヒータ
【図１】
2014036154.tif 000003
【図２】
2014036154.tif 000004
【図３】
2014036154.tif 000005
【図４】
2014036154.tif 000006
【図５】
2014036154.tif 000007
【図６】
2014036154.tif 000008
【図７】
2014036154.tif 000009
【図８】
2014036154.tif 000010
【図９】
2014036154.tif 000011